(57)【特許請求の範囲】
【請求項１】
被服上衣の上腕部に対応する袖の上側において、表生地と袖裏地間に剛性を有する帯状弾性薄板を、袖の長手方向に沿って、前記上腕部の殆どに渡って取り付けたことを特徴とするシルエット保持機能を備えた被服上衣。
【請求項２】
表生地側に帯状弾性薄板に沿って帯状毛芯を積層したことを特徴とする請求項１に記載のシルエット保持機能を備えた被服上衣。
【請求項３】
帯状弾性薄板は、薄手生地で形成したポケット部に収容し、薄手生地を縫い付けることにより、表生地と袖裏地間に取り付けることを特徴とする請求項１に記載のシルエット保持機能を備えた被服上衣。
【請求項４】
帯状弾性薄板と帯状毛芯は、薄手生地で形成したポケット部に収容し、薄手生地を縫い付けることにより、表生地と袖裏地間に取り付けることを特徴とする請求項２に記載のシルエット保持機能を備えた被服上衣。
【請求項５】
帯状弾性薄板は、合成樹脂製薄板であることを特徴とする請求項１〜４までのいずれか１項に記載のシルエット保持機能を備えた被服上衣。
【請求項６】
合成樹脂は、ポリプロピレン、ポリエチレン、ポリエチレンテレフタレート、ポリ塩化ビニル、ポリ塩化ビニリデン、ポリ乳酸、ポリアミド、ポリカーボネート、ポリテトラフルオロエチレン、ポリウレタン、ポリスチレン、ポリエステル、ＡＢＳ樹脂、アクリル樹脂、ポリアセタール樹脂から選択されることを特徴とする請求項１に記載のシルエット保持機能を備えた被服上衣。
【発明の詳細な説明】
【技術分野】
【０００１】
本発明は、ダンス用の燕尾服やタキシード、指揮者用の燕尾服としての被服上衣に関するもので、特に、シルエット保持機能を備えた被服上衣に関する。
【背景技術】
【０００２】
例えば、ダンススポーツの競技は、リズム感、躍動感、表現力等と共に、踊る姿の美しいシルエットを競うものであり、服装のシルエットも大きな要素となる。
【０００３】
服装のシルエットを保つための従来技術として、例えば特許文献１や特許文献２に記載されているように、被服上衣の肩部のシルエットを良好に保つために、図６に示すように肩パッドａを取り付けることが行われている。このようにパッドａによる被服上衣ｂのシルエットの保持は、肩部ｃのみに限られている。
【０００４】
また、ダンス用燕尾服や指揮者用燕尾服では、腕を水平にする姿勢において肩部が盛り上がってしまうのを防ぐために、このような姿勢に対応して袖付けを行う等の工夫がされている。
【０００５】
本発明者は、長年に渡ってダンス用の燕尾服を多数製作し、そして多数のダンススポーツの競技会等に立ち会ってきた経験から、ダンススポーツにおいて着用する燕尾服、タキシード等のダンス用被服上衣を、ダンスの動き、姿勢に対応して、さらに美しいシルエットを保つように工夫を行ってきた。
【０００６】
そして、ダンススポーツの競技会等における踊り手の姿勢、そして被服上衣のシルエットを鋭意観察した結果、ダンスの基本姿勢であるホールド姿勢において、即ち、図５に示すように、上腕部ｄを水平にすると共に肘ｅを曲げて前腕部ｆを上に上げた姿勢において、被服上衣ｇの上腕部ｄに対応する袖ｈの上側に顕著に皺ｉが寄り、これが美しいシルエットを崩しているとの知見を得た。
【０００７】
この皺は、燕尾服を着用している指揮者が上腕部を水平にし、そして肘を曲げた姿勢においても生じるので、シルエットを崩していると云えるが、従来は、この皺が見過ごされていた。
【先行技術文献】
【特許文献】
【０００８】
【特許文献１】特開平１１−１２８３０号公報
【特許文献２】特開２００４−１２４３５０号公報
【発明の概要】
【発明が解決しようとする課題】
【０００９】
上述したように、被服上衣のシルエットを保つために、従来から、肩パッドを取り付けたり、適切な袖付けを行う等の工夫がされているが、被服上衣の上腕部に対応する袖の上側に生じる皺は、見過ごされて来て、それを防ぐための対策は全く採られて来なかった。
【００１０】
そこで本発明では、このような課題を解決し、上腕部に対応する袖の上側に生じる皺を合理的に防止して、美しいシルエットを保持することができる被服上衣を提供することを目的とするものである。
【課題を解決するための手段】
【００１１】
本発明では、上記課題を解決するために、被服上衣の上腕部に対応する袖の上側において、表生地と袖裏地間に剛性を有する帯状弾性薄板を、袖の長手方向に沿って袖の長手方向に沿って、前記上腕部の殆どに渡って取り付けた被服上衣を提案する。
【００１２】
また本発明では、上記の構成において、表生地側に帯状弾性薄板に沿って帯状毛芯を積層することを提案する。
【００１３】
また本発明では、上記の構成において、帯状弾性薄板は、薄手生地で形成したポケット部に収容し、薄手生地を縫い付けることにより、表生地と袖裏地間に取り付けることを提案する。
【００１４】
また本発明では、上記の構成において、帯状弾性薄板と帯状毛芯は、薄手生地で形成したポケット部に収容し、薄手生地を縫い付けることにより、表生地と袖裏地間に取り付けることを提案する。
【００１５】
また本発明では、上記の構成において、帯状弾性薄板は、適宜の合成樹脂製の薄板により構成することを提案する。例えば、合成樹脂は、ポリプロピレン、ポリエチレン、ポリエチレンテレフタレート、ポリ塩化ビニル、ポリ塩化ビニリデン、ポリ乳酸、ポリアミド、ポリカーボネート、ポリテトラフルオロエチレン、ポリウレタン、ポリスチレン、ポリエステル、ＡＢＳ樹脂、アクリル樹脂、ポリアセタール樹脂から選択することができる。
【発明の効果】
【００１６】
通常の被服上衣を着用している人が腕を水平にし、肘を曲げると、被服上衣の上腕部に対応する袖の上側がだぶつくため皺が寄る。この皺は、上腕部を水平にすると共に、肘を曲げて前腕部を上げたダンスのホールド姿勢において顕著に生じるのであるが、本発明では、被服上衣の上腕部に対応する袖の上側において、表生地と袖裏地間に剛性を有する帯状弾性薄板を、袖の長手方向に沿って、上腕部の殆どに渡って取り付けているため、上腕部の上側に皺は生じず、この部分のシルエットを崩さない。
【００１７】
一方、被服上衣の肩部は従来の適宜の方法により、シルエットを保持する工夫がされているので、上述した袖のだぶつきは前腕部方向に解消されるため、他の部分のシルエットを崩す要因とはならない。
【００１８】
表生地側に帯状弾性薄板に沿って帯状毛芯を積層することにより、帯状弾性薄板による表生地側の硬質感を防ぎ、風合を悪化させない。
【００１９】
帯状弾性薄板及び／又は帯状毛芯は、薄手生地で形成したポケット部に収容し、薄手生地を縫い付けることにより、表生地と袖裏地間に取り付けるようにすれば、所定の縫製を容易に、且つ確実に行うことができる。
【００２０】
帯状弾性薄板は、適度の剛性と弾性を有する材質であれば、例えば、ポリプロピレン、ポリエチレン、ポリエチレンテレフタレート、ポリ塩化ビニル、ポリ塩化ビニリデン、ポリ乳酸、ポリアミド、ポリカーボネート、ポリテトラフルオロエチレン、ポリウレタン、ポリスチレン、ポリエステル、ＡＢＳ樹脂、アクリル樹脂、ポリアセタール樹脂等の、適宜の合成樹脂を用いる他、軽金属や革等を用いることもできる。
【図面の簡単な説明】
【００２１】
【図１】図１は本発明に係る被服上衣の実施の形態を示す要部斜視図である。
【図２】図２は、図１のＡ−Ａ線の模式的断面図である。
【図３】図３は、図２に示された各要素を便宜的に離して示した模式的断面図である。
【図４】図４は、本発明に係る被服上衣を着用してダンスのホールド姿勢をとった場合の状態を示す説明的背面図である。
【図５】図５は、従来の被服上衣を着用してダンスのホールド姿勢をとった場合の状態を示す説明的背面図である。
【図６】図６は、被服上衣において肩部のシルエットを保持するための従来の方法を示す説明的斜視図である。
【発明を実施するための形態】
【００２２】
次に本発明の被服上衣の実施の形態を図を参照して説明する。
まず図１は本発明に係る被服上衣１の一例である燕尾服の要部を示すものであり、上述したとおり、図２は図１のＡ−Ａ線の模式的断面図、図３は図２に示された各要素を便宜的に離して示した模式的断面図である。
【００２３】
上述したとおり本発明では、被服上衣１の上腕部２に対応する袖３の上側において、表生地４と袖裏地５間に剛性を有する帯状弾性薄板６を、袖３の長手方向に沿って取り付けた構成である。
【００２４】
この実施の形態において、帯状弾性薄板６は、薄手生地７で形成したポケット部８に収容し、薄手生地７を縫い付けることにより、被服上衣１の上腕部２に対応する袖３の上側に、袖３の長手方向に沿って取り付けている。
【００２５】
この際、この実施の形態においては、帯状弾性薄板６は表生地４側に帯状毛芯９を積層してポケット部８に収容している。
【００２６】
以上の構成において、本発明の被服上衣１を着用している踊り手が、図４に示すように、上腕部２を水平にすると共に、肘１０を曲げて前腕部１１を上げたダンスのホールド姿勢をとった際にも、上腕部２の上側に皺は生じず、この部分のシルエットを崩さない。
【００２７】
図５に示すように、被服上衣の上腕部の上側に皺が形成される理由は、上腕部を水平とすると共に、肘を曲げた姿勢において、袖の上側がだぶつくためであるが、本発明では、袖３のだぶつきは前腕部１１方向に解消されるため、上腕部２以外の部分のシルエットを崩すこともない。
【００２８】
この実施の形態のように、帯状弾性薄板６に沿って被服上衣１の表生地４側に帯状毛芯９を積層することにより、帯状弾性薄板６による表生地４側の硬質感を防ぎ、風合を悪化させない。
【００２９】
またこの実施の形態のように、帯状弾性薄板６及び／又は帯状毛芯９は、薄手生地７で形成したポケット部８に収容し、薄手生地７を縫い付けることにより、被服上衣１の表生地４と袖裏地５間に取り付けるようにすることにより、所定の縫製を容易に、且つ確実に行うことができる。
【００３０】
上述した通り、帯状弾性薄板６は、適度の剛性と弾性を有する材質であれば、例えば、適宜の合成樹脂を用いる他、軽金属や革等を用いることもできる。
【産業上の利用可能性】
【００３１】
本発明における被服上衣は、例えばダンススポーツ用の燕尾服やタキシード等に適用することにより、ダンスの動き、姿勢に対応して、美しいシルエットを保持することができ、従ってダンスの美的要素を更に向上することができる。また、指揮者の燕尾服に適用した場合にも、指揮に伴う動きに対応した美しいシルエットの保持により、音楽と共に美的要素を向上させる。
【符号の説明】
【００３２】
１          被服上衣（燕尾服）
２          上腕部
３          袖
４          表生地
５          袖裏地
６          帯状弾性薄板
７          薄手生地
８          ポケット部
９          帯状毛芯
１０        肘
１１        前腕部
ａ          肩パッド
ｂ          被服上衣
ｃ          肩部
ｄ          上腕部
ｅ          肘
ｆ          前腕部
ｇ          被服上衣
ｈ          袖
ｉ          皺
【図１】
0005429941.tif 000002
【図２】
0005429941.tif 000003
【図３】
0005429941.tif 000004
【図４】
0005429941.tif 000005
【図５】
0005429941.tif 000006
【図６】
0005429941.tif 000007